(57)【特許請求の範囲】
【請求項１】
使用時に体近くに配置される、内部架橋セルロース繊維を有する吸収分配層と、使用時に体から離れた位置に配置される、天然非架橋セルロース繊維と超吸収性素材を有する収容層とを備え、体近くの吸収分配層の広がりが収容層の広がりよりも小さく、あらゆる方向において収容層の周縁の内側にとどまっている、体液、特に尿を吸収および収容するための使い捨て式吸収性衛生用品用の吸収体であって、該吸収分配層が０．６〜０．９ｇF1／ｇFaserの第１の保持値を有する内部架橋セルロース繊維と８〜１５重量％の超吸収性ポリマー素材とからなり、該収容層が１．０〜１．４ｇF1／ｇFaserの第２の保持値を有する非架橋セルロース繊維と少なくとも２０重量％の超吸収性ポリマー素材とからなっていることを特徴とする吸収体。
【請求項２】
前記体近くの吸収分配層の８〜１２重量％だけが超吸収性ポリマー素材からなっていることを特徴とする請求項１記載の吸収体。
【請求項３】
前記体近くの吸収分配層の１０〜１２重量％だけが超吸収性ポリマー素材からなっていることを特徴とする請求項２記載の吸収体。
【請求項４】
前記収容層が、前記吸収分配層と反対の側に、部分層を備え、この部分層が超吸収性素材を含んでいないことを特徴とする請求項１，２または３記載の吸収体。
【請求項５】
前方範囲と、後方範囲と、その間にある股上範囲とを有し、液体を通さない後側シートと、液体を通す被覆シートと、その間に設けられた吸収体を備えている、使い捨て式吸収性衛生用品であって、該吸収体が上記の請求項のいずれか一つまたは複数に従って形成され、該吸収体の収容層が衛生用品の前方範囲、後方範囲および股上範囲にわたって均一に延びていることを特徴とする衛生用品。
【発明の詳細な説明】
【０００１】
本発明は、使用時に体近くに配置される、内部架橋セルロース繊維を有する吸収分配層と、使用時に体から離れた位置に配置される、天然非架橋セルロース繊維と超吸収性素材を有する収容層とを備え、体近くの吸収分配層の広がりが収容層の広がりよりも小さく、あらゆる方向において収容層の周縁の内側にとどまっている、体液、特に尿を吸収および収容するための使い捨て式吸収性衛生用品用吸収体に関する。
【０００２】
このような吸収体は、例えば、ＷＯ−Ａ−９１／１１１６３により知られている。この文献には、５０〜１００重量％の内部架橋セルロース繊維と、０〜５０重量％のこの繊維用の結合剤とを含むように、体近くの吸収分配層を形成することが開示されている。該吸収分配層は、好ましくは、超吸収性素材を含んでいない。ある実施の形態において、該吸収分配層は９２重量％の内部架橋セルロース繊維と、８重量％の非架橋セルロース繊維とからなっている。更に、他の実施の形態の吸収分配層は１００％が内部架橋セルロース繊維からなっている。また、別の実施の形態の吸収分配層は５５重量％の内部架橋セルロース繊維と、４５重量％の熱可塑性ポリエチレンマイクロ繊維を含んでいる。この場合、熱可塑性ポリエチレンマイクロ繊維は結合剤を形成する。すべての実施の形態の場合、この文献の教えに従って、吸収分配層は超吸収性素材を含んでいない。
【０００３】
英国特許出願公開第２２１５６０９号公報により、冒頭に述べた種類と異なる吸収体構造が知られている。この吸収体構造によれば、上側の吸収分配層は実質的に、衛生用品の面全体に及ぶ大きさを有し、この衛生用品と比べて非常に小さい層を完全に覆っている。この小さな層はこの文献の教えに従って、大部分が衛生用品の前方範囲内に設けられ、そこに局部的に大きな吸収容量が与えられている。両層の繊維部分は内部架橋セルロース繊維からなっている。
【０００４】
従って、この文献は、超吸収性素材の局部的な集中によって非常に特別な配置を開示している。
【０００５】
本発明の根底にある課題は、冒頭に述べた種類の吸収体において、戻し湿り状態を改善することである。吸収分配層の下にある吸収体内に到達せず、吸収分配層内に含まれている液体は、衛生用品の吸収体に圧力が加わると、すなわち、着座すると、使用者の体の表面に達し、不快に感じる湿り感覚を与える。さらに、吸収体は低コストでかつできるだけ簡単な構造とすべきである。
【０００６】
この課題は、本発明によれば、冒頭に述べた種類の吸収体において、その吸収分配層が０．６〜０．９ｇF1／ｇFaserの第１の保持値（残値）を有する内部架橋セルロース繊維と８〜１５重量％の超吸収性ポリマー素材からなり、その収容層が１．０〜１．４ｇF1／ｇFaserの第２の保持値（残値）を有する非架橋セルロース繊維と少なくとも２０重量％の超吸収性ポリマー素材からなっていることによって解決される。
【０００７】
二層の吸収体は、吸収分配層の繊維部分が天然の内部架橋セルロース繊維からなり、収容層の繊維部分が天然の非架橋セルロース繊維からなっていることにより、きわめて簡単に、ひいては容易に製作できるよう形成されている。唯一の他の構成要素として、超吸収性ポリマー素材が含まれている。繊維の保持値は次に説明する方法によって測定される。繊維の割合を前述のように選択する際、吸収分配層に対して８〜１５、特に８〜１２、とりわけ１０〜１２重量％の割合で超吸収性素材を使用することにより、体近くの層の非常に良好な吸収分配状態と優れた戻し湿り特性が達成されることが判った。天然の内部架橋セルロース繊維で形成される繊維部分により、体近くの吸収分配層の有利な細孔容積が湿り状態でも達成される。天然の内部架橋セルロース繊維は、液体供給時に膨らむ特性を有する。従って、寝小便時にその密度が低下する。これは、個々の繊維が一層大きな容積を有することを意味する。このプロセスによって細孔容積ひいては液体収容速度が増大する。
【０００８】
本発明においては、吸収分配層の超吸収性素材の比較的高い割合のために、このプロセスが、繊維を支持して互いに持上げかつ膨らむ超吸収性素材の膨潤状態により促進される。細孔容積は更に大きくなる。これは更に、液体が溜まるときの収容能力を高めることになる。比較的高いＳＡＰ（超吸収性ポリマー）含有量は、０．６〜０．９ｇF1／ｇFaserの第１の保持値を有する天然の架橋セルロースにより、当時の技術水準において予想された高いＳＡＰ含有量に関して懸念されるゲルブロックを生じさせない。しかし、吸収分配層が超吸収性素材を少ししか含んでいないか、または、含んでいないときには、この層における残留水含有量、ひいては、戻し湿り状態、は満足できるものではない。本発明の吸収体構造により、戻し湿り状態は大幅に改善される。吸収分配層内に残る液体は、超吸収性素材を多く含むことによって効果的にかつ完全に保持され、吸収体に圧力が作用しても、液体は使用者の皮膚を押圧しない。
【０００９】
架橋または天然非架橋セルロース繊維の液体保持能力は、次の遠心力テストによる保持値によって決定される。検査すべきセルロース繊維からなる層は、その質量をグラムで測定するために、乾燥状態で計量される。試験材料は３０分の間、試験溶液としての脱塩水の１％の塩化ナトリウム溶液に完全に浸漬され、続いて重力加速度の２７６倍で４分間遠心加速される。その後で、保持された液体を含めた質量を測定するために、試験材料は再び計量される。従って、収容または保持された液体の質量は、検査すべき繊維材料の遠心加速の後で測定された質量と乾燥質量の差によって生じる。この差を乾燥質量によって割り算すると、保持値ｇF1／ｇFaserが得られる。
【００１０】
本発明は更に、液体を通さない後側シートと、液体を通す被覆シートと、その間に設けられた吸収体を備えている、使い捨て式吸収性衛生用品に関する。この衛生用品は、吸収体が本発明に従って形成され、吸収体の収容層が衛生用品の前方範囲、後方範囲および股上範囲にわたって均一に延び、それによって収容層が股上範囲の中央の横方向線に対してほぼ対称に配置されていることを特徴とする。  本発明の他の特徴、詳細および効果は、添付の特許請求の範囲と、図と、本発明による吸収体の好ましい実施の形態の次の説明により明らかである。
【００１１】
図は、本発明による吸収体を示している。この吸収体は、衛生用品の使用時に体近くに位置する吸収分配層２と、収容層４とからなっている。吸収分配層２は超吸収性ポリマー素材の８〜１２重量％を有する天然の内部架橋セルロース繊維からなっている。収容層４は天然の架橋されていないセルロース繊維、特に、１．０〜１．４ｇF1／ｇFaserの保持値（残値）を有する種類のセルロース繊維と、超吸収性ポリマー素材の少なくとも２０重量％とによって形成されている。収容層４は吸収分配層２寄りのＳＡＰ含有の部分層６と、使用時に体と反対側に位置するＳＡＰを含有していない部分層８とを備えている。
【００１２】
図２は全体を参照符号１０で示したおむつの形をした衛生用品を示している。この衛生用品は液体を通さない後側シート１２と、示唆的に示した液体を通す被覆シート１４と、その間に設けられた吸収体を備えている。この吸収体は体から離れた位置に配置された吸収層４と、体近くに位置する吸収分配層２とからなっている。この吸収分配層２は図１に関して説明したように形成されている。収容層４は衛生用品１０の前方範囲１６と後方範囲１８と股上範囲２０にわたって延びている。この場合、股上範囲２０は、脚切欠き部２２の衛生用品の縦方向２４に設けた範囲のことをいう。従って、収容層４までの層は、対称軸線としての中央の横方向線２６に対して対称に形成されている。
【図面の簡単な説明】
【図１】  本発明による吸収体の概略的な断面図である。
【図２】  衛生用品の概略的な斜視図である。
【図１】
0004466803.tif 000002
【図２】
0004466803.tif 000003